(57)【要約】【課題】光源から遠い位置にある物体について正しく認識することを可能にする、物体認識装置および物体認識方法を提供する。【解決手段】本発明の物体認識装置は、測距装置によって距離が測定された複数の測距点に基づいて、物体を認識する物体認識装置であって、測距装置によって測定された複数の測距点に対し、予め規定されたノイズを付加するノイズ付加部と、ノイズが付加された測距点に基づいて、物体を表すクラスタを形成するクラスタリング部と、クラスタリング部によって形成されたクラスタの特徴量に基づいて物体を認識する認識部と、を備える。【選択図】図１
2019153188.tif 000002
【特許請求の範囲】
【請求項１】
測距装置によって距離が測定された複数の測距点に基づいて、物体を認識する物体認識装置であって、
前記測距装置によって測定された前記複数の測距点に対し、予め規定されたノイズを付加するノイズ付加部と、
前記ノイズが付加された測距点に基づいて、物体を表すクラスタを形成するクラスタリング部と、
前記クラスタリング部によって形成された前記クラスタの特徴量に基づいて前記物体を認識する認識部と、を備えることを特徴とする物体認識装置。
【請求項２】
前記ノイズ付加部は、前記測距装置によって測定された前記複数の測距点のうち、距離が予め規定された基準距離以上である測距点に対して前記ノイズを付加するものであることを特徴とする請求項１に記載の物体認識装置。
【請求項３】
前記ノイズは、前記測距点から水平方向に３０ｃｍ以下、鉛直方向に４０ｃｍ以下の範囲に付加されるものであることを特徴とする請求項１または２のいずれかに記載の物体認識装置。
【請求項４】
前記ノイズ付加部によって付加される前記ノイズは、ホワイトノイズであることを特徴とする請求項１〜３のいずれか一項に記載の物体認識装置。
【請求項５】
物体毎に分散が異なるホワイトノイズを格納する格納部を更に備えており、
前記ノイズ付加部が、前記測距装置によって測定された前記複数の測距点に対して、分散が異なるホワイトノイズを順次付加し、
前記クラスタリング部及び前記認識部は、前記ノイズ付加部によってホワイトノイズが付加される度に、前記クラスタの形成及び前記物体の認識を行うものであることを特徴とする請求項４に記載の物体認識装置。
【請求項６】
測距装置によって距離が測定された複数の測距点に基づいて、物体を認識する物体認識方法であって、
前記測距装置によって測定された前記複数の測距点に対し、予め規定されたノイズを付加するノイズ付加ステップと、
前記ノイズが付加された測距点に基づいて、物体を表すクラスタを形成するクラスタリングステップと、
前記クラスタリングステップによって形成された前記クラスタの特徴量に基づいて前記物体を認識する認識ステップと、を有することを特徴とする物体認識方法。
【請求項７】
前記ノイズ付加ステップにおいて、前記測距点から水平方向に３０ｃｍ以下、鉛直方向に４０ｃｍ以下の範囲に、ノイズを付加することを特徴とする請求項６に記載の物体認識方法。
【発明の詳細な説明】
【技術分野】
【０００１】
本発明は、物体認識装置および物体認識方法に関する。
【背景技術】
【０００２】
近年、世界中の様々な企業が、車両の自動運転技術の開発に取り組んでいる。運転の自動化による、安全性、快適性等の各段の向上が期待されており、現在は実証実験が行われている段階にある。例えば、愛知県では、自動運転システムにより公道で運転席を監視して無人の車を走らせる実験が行われている。また、国土交通省では、中山間地域で自動運転の実験が行われている。他にも様々な実証実験が行われている。しかしながら、完全自動運転は、実用化に至っていない。
【０００３】
完全自動運転を実現するためには、４つの機能が必要となる。具体的には、自車がどの位置にいるのか把握するための自己位置推定、周りの環境を認識するための外界認識、総合的に判断して行動するための行動計画、ブレーキやステアリングなどを操作する車両制御、を行う機能が挙げられる。本発明者は、これらのうち外界認識を行う技術について着目し、研究を進めている。外界認識は、自車の周囲の障害物を検出し、歩行者などとの接触事故を防ぐ上で重要な技術である。
【０００４】
外界認識に用いるセンサとしては、点群（ポイントクラウド）データを出力するＬｉＤＡＲ（Ｌｉｇｈｔ  Ｄｅｔｅｃｔｉｏｎ  ａｎｄ  Ｒａｎｇｉｎｇ）、画像データを出力するカメラなどが挙げられる（非特許文献１参照）。ＬｉＤＡＲは、主に、近赤外レーザビームを周囲に照射して走査を行う走査部、反射光を受ける受光部、照射してから受光するまでにかかった時間から距離を測定する信号処理部からなる。照射するレーザ光としては、近赤外光を用いることにより、可視光に起因する外乱を取り除くことができ、さらに、近赤外光に起因する外乱については、照射光をパルス変調してキャンセルすることが可能となる。よって、ＬｉＤＡＲは、可視光を撮影するカメラと比べて優れている。ＬｉＤＡＲでは、完全な暗闇や、カメラなら飽和してしまう明るい環境においても、反射光をが受けられる範囲であれば認識することができる。カメラの一種であるステレオカメラでは、基線長に対して測定方向の距離が長くなるにつれて測定誤差が大きくなるが、ＬｉＤＡＲでは、遠方であっても測定誤差が大きくならない。
【先行技術文献】
【非特許文献】
【０００５】
【非特許文献１】鶴原吉郎、“自動運転センサー主役はレーザーへ”、明日のエンジニアへの手紙、（２０１８）、ｐｐ．２４−３３
【非特許文献２】松元則雄、“メカレスで５０ドルを目指す、クルマから家電・ARへ”、日経エレクトロニクス、（２０１７／０２）  ｐｐ．５０−５４
【非特許文献３】長谷悠佑、“赤外線レーザレーダを用いた移動物体認識に関する研究”、  関西学院大学院修士論文、（２０１０／３）、ｐｐ．２８−３０
【発明の概要】
【発明が解決しようとする課題】
【０００６】
ＬｉＤＡＲによる外界認識は、レーザ光をスキャン走査することによって行われる。レーザー光は、照射方向に対して放射状に複数の方向に広がって進む性質を有しており、光源から離れるほどその広がりが大きくなる。そのため、照射されるレーザー光同士の間隔が広がり、遠方にある対象物体をスキャン走査する走査レーザー層の数が少なくなり、その結果として、対象物体に対してＬｉＤＡＲから出力される点の分布率が低下することになる（非特許文献２参照）。したがって、ＬｉＤＡＲを用いて外界認識を行おうとしても、遠方にある対象物については、正しく認識できない虞がある。この場合、例えば、自転車、車両などの物体を検出する場合、物体の全体がＬｉＤＡＲの走査範囲に入っていなければ、歩行者などの異なる物体として検出されてしまうことがある。そのため、走査範囲に入る瞬間には、自転車、車両は、高い確率で歩行者として検出されてしまう（非特許文献３参照）。 
【０００７】
本発明は上記事情に鑑みてなされたものであり、光源から遠い位置にある物体について正しく認識することを可能にする、物体認識装置および物体認識方法を提供することを目的とする。
【課題を解決するための手段】
【０００８】
上記課題を解決するため、本発明は以下の手段を採用している。
【０００９】
（１）本発明の一態様に係る物体認識装置は、測距装置によって距離が測定された複数の測距点に基づいて、物体を認識する物体認識装置であって、前記測距装置によって測定された前記複数の測距点に対し、予め規定されたノイズを付加するノイズ付加部と、前記ノイズが付加された測距点に基づいて、物体を表すクラスタを形成するクラスタリング部と、前記クラスタリング部によって形成された前記クラスタの特徴量に基づいて前記物体を認識する認識部と、を備える。
【００１０】
（２）上記（１）に記載の物体認識装置において、前記ノイズ付加部は、前記測距装置によって測定された前記複数の測距点のうち、距離が予め規定された基準距離以上である測距点に対して前記ノイズを付加するものであることが好ましい。
【００１１】
（３）上記（１）または（２）のいずれかに記載の物体認識装置において、前記ノイズは、前記測距点から水平方向に３０ｃｍ以下、鉛直方向に４０ｃｍ以下の範囲に付加されるものであることが好ましい。
【００１２】
（４）上記（１）〜（３）のいずれか一つに記載の物体認識装置において、前記ノイズ付加部によって付加される前記ノイズは、ホワイトノイズであることが好ましい。
【００１３】
（５）上記（４）に記載の物体認識装置において、物体毎に分散が異なるホワイトノイズを格納する格納部を更に備えており、前記ノイズ付加部が、前記測距装置によって測定された前記複数の測距点に対して、分散が異なるホワイトノイズを順次付加し、前記クラスタリング部及び前記認識部は、前記ノイズ付加部によってホワイトノイズが付加される度に、前記クラスタの形成及び前記物体の認識を行うものであることが好ましい。
【００１４】
（６）本発明の一態様に係る物体認識方法は、測距装置によって距離が測定された複数の測距点に基づいて、物体を認識する物体認識方法であって、前記測距装置によって測定された前記複数の測距点に対し、予め規定されたノイズを付加するノイズ付加ステップと、前記ノイズが付加された測距点に基づいて、物体を表すクラスタを形成するクラスタリングステップと、前記クラスタリングステップによって形成された前記クラスタの特徴量に基づいて前記物体を認識する認識ステップと、を有する。
【００１５】
（７）上記（６）に記載の物体認識方法において、前記ノイズ付加ステップにおいて、前記測距点から水平方向に３０ｃｍ以下、鉛直方向に４０ｃｍ以下の範囲に、ノイズを付加することが好ましい。
【発明の効果】
【００１６】
本発明の一実施形態に係る物体認識装置および物体認識方法では、測距点にノイズを付加することにより、光源から遠い位置にある物体のクラスタリングを正しく行うことができるため、当該物体について正しく認識することが可能となる。
【図面の簡単な説明】
【００１７】
【図１】本発明の一実施形態に係る物体認識の手順について、模式的に説明する図である。
【図２】定常状態の双安定系ポテンシャルの概形を示す図である。
【図３】系の緩やかな傾動とノイズの印加により、粒子が跳躍する様子を模式的に説明する図である。
【図４】測距点の分布を示す画像である。
【図５】異なる距離にある２つの物体から得られるクラスタの大きさを、模式的に示す図である。
【図６】異なる距離にある２つの物体から得られるクラスタの大きさを、模式的に示す図である。
【図７】本発明の実施例において用いた測定系の構成を模式に示す図である。
【図８】本発明の実施例において、付加するノイズとして検討した正規分布する乱数のグラフである。
【図９】本発明の実施例において、付加するノイズとして検討したカイ二乗分布する乱数のグラフである。
【図１０】本発明の実施例において、付加するノイズとして検討したガンマ分布する乱数のグラフである。
【図１１】本発明の実施例において、付加するノイズとして検討したベータ分布する乱数のグラフである。
【図１２】本発明の実施例において得られた、遠方にある測距点の分布を示すグラフである。
【図１３】本発明の実施例において得られた、遠方にある測距点と付加されたノイズの分布を示すグラフである。
【図１４】本発明の実施例において、ノイズを付加しない状態での測距点の分布を示す画像である。
【図１５】図１４の測距点の分布について、クラスタリングした結果を示す画像である。
【図１６】本発明の実施例において、ノイズを付加した状態での測距点の分布を示す画像である。
【図１７】図１６の測距点の分布について、クラスタリングした結果を示す画像である。
【図１８】（ａ）近距離にある２つの物体の測距点にノイズを加えた点群の画像である。（ｂ）（ａ）の点群に対し、クラスタリングを行った結果を示す画像である。
【図１９】（ａ）近距離にある２つの物体の測距点の画像である。（ｂ）（ａ）の測距点に対し、所定の範囲にノイズを加えた画像である。
【図２０】図１９の点群に対し、クラスタリングを行った結果を示す画像である。
【発明を実施するための形態】
【００１８】
以下、本発明を適用した実施形態に係る物体認識装置および物体認識方法について、図面を用いて詳細に説明する。なお、以下の説明で用いる図面は、特徴をわかりやすくするために、便宜上特徴となる部分を拡大して示している場合があり、各構成要素の寸法比率などが実際と同じであるとは限らない。また、以下の説明において例示される材料、寸法等は一例であって、本発明はそれらに限定されるものではなく、その要旨を変更しない範囲で適宜変更して実施することが可能である。
【００１９】
本発明の一実施形態に係る物体認識方法は、測距装置によって測定地点からの距離が測定された複数の測距点に基づいて、物体を認識する物体認識方法である。本実施形態の物体認識方法は、測距装置によって測定された複数の測距点に対し、予め規定されたノイズを付加するノイズ付加ステップと、ノイズが付加された測距点に基づいて、物体を表すクラスタを形成するクラスタリングステップと、クラスタリングステップによって形成されたクラスタの特徴量に基づいて物体を認識する認識ステップと、を有する。
【００２０】
上記物体認識方法に用いる物体認識装置は、測距装置によって距離が測定された複数の測距点に基づいて、物体を認識する物体認識装置であって、物体認識装置は、測距装置によって測定された複数の測距点に対し、予め規定されたノイズを付加するノイズ付加部と、ノイズが付加された測距点に基づいて、物体を表すクラスタを形成するクラスタリング部と、クラスタリング部によって形成されたクラスタの特徴量に基づいて物体を認識する認識部と、を備える。
【００２１】
ノイズ付加部は、測距装置によって測定された複数の測距点のうち、距離が予め規定された基準距離以上である測距点に対して、ノイズを付加するものであることが好ましい。ノイズは、測距点から水平方向に３０ｃｍ以下、鉛直方向に４０ｃｍ以下の範囲に付加されるものであることが好ましい。ノイズ付加部によって付加されるノイズは、ホワイトノイズであることが好ましい。
【００２２】
なお、物体認識装置は、物体毎に分散が異なるホワイトノイズを格納する格納部を更に備えていてもよい。ノイズ付加部は、測距装置によって測定された複数の測距点に対して、分散が異なるホワイトノイズを順次付加するものであるクラスタリング部及び認識部は、ノイズ付加部によってホワイトノイズが付加される度に、クラスタの形成及び物体の認識を行うものである。
【００２３】
図１は、本実施形態における物体認識の流れについて、模式的に示す図である。測距装置としては、例えば、外界認識用センサとして知られるＬｉｄｅｒを用いる。検出する物体の位置が光源（Ｌｉｄｅｒ）から遠くなる程、表示部の画面上の物体の位置において、物体として出力される測距点の分布率が低下するが、そこにノイズを付加し、そのノイズの分散の値を物体ごとに変えて、クラスタリングを行う。このようにすることで、識別距離を延ばすことができる。
【００２４】
付加するノイズとしては、確率共鳴で用いられているホワイトガウスノイズ（以下では、ホワイトノイズと呼ぶことがある）を用いることが好ましい。初めに、ホワイトノイズを用いる上で基本的概念となる、確率共鳴について説明し、続いて確率共鳴という概念をどのように物体認識に適用させていくかについて説明する。
【００２５】
ここでは双安定系でのシンプルな確率共鳴の現象について、簡単なモデルを用いて説明する。１次元の非線形系で確率共鳴を示す減衰調和振動子として、下記（１）式のランジュバン方程式を考える。
【００２６】
【数１】
2019153188.tif 000003
【００２７】
この式は質量mの粒子が、γで表される摩擦力を受けて運動する場合を示す。復元力は双安定系のポテンシャルエネルギーＵ（ｘ）の勾配として記述される。強度がDの確率変動力ξ（ｔ）が付加されるものとする。典型的にこれは以下のホワイトガウス過程に従う。すなわち、平均と自己相関は各々，下記（２）式で示される。ここでの括弧＜＞は集合平均を意味し、ｔ≠ｔ’でξ（ｔ）とξ（ｔ’）は統計的に独立である。Ｕ（ｘ）は双安定ポテンシャルであるから、非線形弾性方程式からレーザ系までを幅広く記述することができる。
【００２８】
【数２】
2019153188.tif 000004
【００２９】
双安定系のポテンシャルＵ（ｘ）を、下記（３）式のように定義する。
【００３０】
【数３】
2019153188.tif 000005
【００３１】
図２は、定常状態の双安定系のポテンシャルの井戸を示す。系が激しい減衰を受けるとき、（ｍ／２）（ｄ２／ｄｘ２）（ｘ（ｔ））の項、すなわち（１）式の左辺の第１項は無視することができる。このとき、（１）式は、γでリスケーリングすることにより、下記（４）式で表される確率Duffinng方程式に帰着する。ここでのＤは、ノイズの強度に対応する。
【００３２】
【数４】
2019153188.tif 000006
【００３３】
この双安定系において、さらに周期的な入力Ａｓｉｎ（ωｓｔ）を付加した場合、（４）式は、下記（５）式に置き換えられる。
【００３４】
【数５】
2019153188.tif 000007
【００３５】
この場合の系の有効ポテンシャルは、下記（６）式で表される。上記のにおけるＡとωｓは、それぞれ振幅と振動数である。
【００３６】
【数６】
2019153188.tif 000008
【００３７】
確率共鳴の物理的イメージについて、図３を用いて説明する。図３は、系の緩やかな傾動とノイズの印加による粒子の跳躍の状態を示す。２つの安定状態を有するポテンシャル中を、ノイズの影響を受けて運動する粒子が存在すると仮定する。微弱かつ緩やかな周期で、この系全体を傾動させる。粒子が飛び出した時、運動を検知するものとする。系が非線形系の場合には、ノイズと微弱な周期振動が合致して粒子が突出する。ノイズが微弱な周期信号を励起するためである。この時、ノイズ強度Dのある範囲で、周期信号とノイズが共鳴する。これらが確率共鳴と呼ばれる現象で、粒子の飛び出す頻度をもとにして、微弱な周期信号を検知することにより、その情報を得ることができる。
【００３８】
図４は、測距点群の分布率が低い場合に表示手段によって表示される画像を示している。この場合、クラスタリング部は、表示されている測距点群に対して、大きさが異なるクラスタを生成してしまったり、クラスタを生成できない、といった問題が発生する。以下に説明する手法を用い、この問題を解決する。
【００３９】
まず、図５に示すような分布が存在すると仮定する。この分布に含まれる要素Ｐｉｋ、平均μ、分散σ２は、それぞれ下記（７）〜（９）式で表される。
【００４０】
【数７】
2019153188.tif 000009
【００４１】
【数８】
2019153188.tif 000010
【００４２】
【数９】
2019153188.tif 000011
【００４３】
任意の測定地点Ｏから遠い位置にある測距点を含めたクラスタの大きさＲと、近い位置にある測距点を含めたクラスタの大きさＲ’とを比較する。クラスタリング部において、例えば、大きさがＲ’のクラスタを二輪車とすると、ＲとＲ’の大きさが大きく隔たっているので、大きさがＲのクラスタは二輪車と認識されない。図５に示す状態は、測距点群について誤認識している状態、あるいは測距点群の分布率が低いため、クラスタを生成できない状態であると考えられる。つまり、この隔たりを小さくすることができ、測距点の分布率を上げれば、クラスタを生成することができ、測距点群について正しく認識できるようになる。
【００４４】
そこで、Ｒに対して、下記（１０）式で表されるホワイトガウスノイズＷｉ（Ｄ０．５ξ（ｔ））を付加する。
【００４５】
【数１０】
2019153188.tif 000012
【００４６】
下記（１１）式に示すように、ホワイトガウスノイズＷｉを要素Ｐｉｋに加えた要素をＣｉとする。平均μ、分散σ２は、それぞれ下記（１１）式、（１２）式で表される。
【００４７】
【数１１】
2019153188.tif 000013
【００４８】
【数１２】
2019153188.tif 000014
【００４９】
【数１３】
2019153188.tif 000015
【００５０】
図６は、図５の２つのクラスタに対し、ホワイトガウスノイズWiを付加した状態を示す図である。Ｒ”は、要素Ｐｉｋに対して，ホワイトガウスノイズＷｉを付加した時に生成されるクラスタの大きさである。
【００５１】
図５において、ホワイトガウスノイズの分散の値を変化させることにより、徐々にRの範囲が延び、大きさが図６のＲ”のように変化する。分散が特定の値をとるとき、Ｒ’の値とＲ”の値が等しくなり、Ｒ’とＲ”が同一の物体として検出される。これは、ノイズの分散値を変えていくことにより、認識したい物体領域に引き込まれていくからである。これは、「ノイズと微弱な周期振動が合致して粒子が突出する」現象に似ている。つまり、ノイズとＲ’の値が合致して正しい認識ができるようになる。このようにして、大きさが異なるクラスタを生成してしまったり、クラスタを生成できないといった問題を解決することができる。
【００５２】
以上のように、本実施形態に係る物体認識装置および物体認識方法では、測距点にノイズを付加することにより、光源から遠い位置にある物体のクラスタリングを正しく行うことができるため、当該物体について正しく認識することが可能となる。
【実施例】
【００５３】
以下、実施例により本発明の効果をより明らかなものとする。なお、本発明は、以下の実施例に限定されるものではなく、その要旨を変更しない範囲で適宜変更して実施することができる。
【００５４】
（実施例１）
図７は、物体認識装置を用いた測定系の構成を模式的に示す図である。図７に示すように、バイク１０の先頭側に３次元ＬｉＤＡＲ（ＶＬＰ−１６）２０を設置して計測を行った。計測結果は、３次元ＬｉＤＡＲ２０に接続したＰＣ３０で解析した。
【００５５】
まず、正規分布、対数正規分布、カイ二乗分布、ガンマ分布、ベータ分布の乱数のうち、付加するノイズとしてどの乱数が妥当であるかどうか確かめた。それぞれの乱数の分布を、図８〜１１に示す。
【００５６】
実際に、これらの乱数を発生させて識別器で分類を行った。その結果、正規乱数以外の乱数を付加すると二輪車を車両と過検出することが分かった。このようになった原因は、正規乱数と比べて、対数正規分布やガンマ分布などで発生させる乱数は分布の偏りが大きいことにあると考えられる。よって、付加する乱数として正規乱数を選択した。
【００５７】
自転車、歩行者、車両の3つの物体ごとに、異なる正規乱数を付加した。付加する正規乱数の設定を、次のようにして行った。サンプルデータとする自転車、歩行者、車両のそれぞれについて、２５個ずつのデータを用い、横・縦・高さの分散を求め、それらの分散値の平均をとった。その結果を表１に示す。
【００５８】
【表１】
2019153188.tif 000016
【００５９】
実際に、正規乱数を遠距離にある点群に対して付加した。ＳＶＭを用いて付加した点群を分類し、認識距離が延びているかどうかを確認した。また、近距離にある点群（測距点群）に対しても正規乱数を付加させ、正しく認識するかどうかを確認した。
【００６０】
遠方にあり、分布率の低い点群に対して正規乱数を付加し、認識距離が延びるかどうかの確認を行った。図１３は、遠方にある点群を示すグラフである。図１２のような遠距離時の点群に対して雑音を付加したものを、図１３に示す。
【００６１】
近距離時の物体と遠距離時の物体物が混合しているデータに対して差分をとる。差分をとったデータを図１４に示す。このデータに対してクラスタを生成する。その結果を図１５に示す。クラスタ１は、計測地点から約８０ｍの地点に存在する車両のクラスタである。クラスタ２、クラスタ３は、それぞれ、計測地点から２０ｍ以内に存在する車両、歩行者のクラスタである。これらに対して分類を行った。その結果を表２に示す。
【００６２】
【表２】
2019153188.tif 000017
【００６３】
図１６は、正しくクラスタリングできていない物体（計測地点から約８０ｍの地点に存在する車両）に対して、正規乱数を発生させたデータを示している。これをクラスタリングしたものを図１７に示す。識別器を用いて３つのクラスタを分類する。その結果を表３に示す。
【００６４】
【表３】
2019153188.tif 000018
【００６５】
２０ｍ以上８０ｍ以内の距離にある物体（人、二輪車、車両それぞれ１８個）に対して分類を行った。表４は、正規乱数を発生させずに行った結果である。２０ｍ超えると二輪車を全く分類することができていないことが分かる。
【００６６】
【表４】
2019153188.tif 000019
【００６７】
これら分類できていない物体に対し、表１で設定した分散の値を用いて適切な正規乱数を付加する。その結果を表５に示す。
【００６８】
【表５】
2019153188.tif 000020
【００６９】
測距点の分布率が低下したデータに対して正規乱数を付加し、ＳＶＭを用いて遠距離に存在する歩行者、二輪車、車両の分類を行った。表４と表５に示した結果を比較すると、遠方にあって認識できていなかったものが、ノイズを付加することによって認識できていることが分かる。
【００７０】
表４のような結果は、遠方ほどビームの間隔が広がって測距点の分布率が低下したため、遠方ほど検出率が低下したことによる。遠方にある物体の検出率を改善するために、確率共鳴という概念を用いることによって、この問題解決した。誤認識や認識できない物体に対して確率共鳴を用いると、ノイズとＲ’の値が合致して、歩行者、二輪車、車両として検出される。それらのデータに歩行者、二輪車、車両の物体ごとに適切な正規乱数を付加する。具体的には、歩行者であれば横成分に０．００１１７、縦成分に０．０１５２、高さ成分に０．１２４、二輪車であれば横成分に０．０４３７、縦成分に０．１０９、高さ成分に０．１３１、車両であれば横成分に０．２０３、縦成分に１．２１、高さ成分に０．１６７の分散値の正規乱数を発生させる。これにより、それぞれの横成分、縦成分、高さ成分が、それぞれの認識物体の特徴量に近づき、表５に示すような結果が得られる。表５の結果では、認識率が上がっており、特に二輪車において改善していることが分かる。
【００７１】
しかしながら、未だ誤認識しているデータがあった。
図１８は、歩行者２人がある一定距離以内の間隔で歩行運動をするというデータを示している。図１８（ａ）の歩行者２人の測距点に対し、ノイズを付加した状態でクラスタリング処理を行うと、図１８（ｂ）に示すようなクラスタが形成され、歩行者として検出されなかった。それどころか、過検出してしまい、車両や二輪車として検出してしまった。その理由としては、認識するべき物体間の距離が近すぎて、どこで区切ればいいのか分からなくなり、間違ったクラスタを形成してしまうことにより、歩行者であるのに二輪車や車両として認識されてしまうことが挙げられる。
【００７２】
そこで、ノイズを付加する適切な範囲について検証を行った。図１９（ａ）は、歩行者２人の測距点を示す画像である。歩行者２人の距離ｄは、約９０ｃｍとした。図１９（ｂ）は、図１９（ａ）のそれぞれの測距点から、所定の範囲（ここでは、水平方向（横方向）に３０ｃｍ以下、鉛直方向（縦方向）に４０ｃｍ以下の範囲）に、ノイズを付加した状態の点群を示す画像である。図２０は、図１９（ｂ）の点群に対し、クラスタリングを行った結果を示す画像である。この結果から、ノイズを付加する範囲を調整することによって、互いに近い距離にある複数の物体に対しても正しいクラスタリングが行われることが分かる。
【００７３】
なお、二輪車や車両では、このような誤認識が起こらなかった。それは、二輪車や車両ではある程度車間をあけており、クラスタリング処理に成功し、１つ１つのクラスタに分けることができたからであると考えられる。
【００７４】
ノイズを付加する前から過検出してしまったデータに対しては、適切なノイズを付加しても、ノイズ同士がお互いに干渉してしまい、正確なクラスタを生成することができなかった。通常のクラスタよりも大きくクラスタリングしてしまった。
【００７５】
本発明は、認識距離を延ばすという課題を解決するものである。従来技術では、遠方ほどレーザビームの間が広がり、走査レーザ層の数が減っていくため、遠距離になるほど、測距点の分布率が低下し、クラスタの生成ができなくなり、認識できなくなってしまうことや誤認識してしまうことが問題とされていた。これらの問題を解決するために、本発明では、次の方法を用いた。歩行者、二輪車、車両のサンプルデータとＳＶＭにより、移動物体を３種類に分類する分類器を製作した。特徴量として縦・横・高さを使用した。３次元点群データに対してクラスタリングを行い、物体を検出した。検出した物体に対してクラスタリングを行い、Euclidean Clusteringを用いてクラスタを生成した。生成したクラスタの特徴量を検出し、検出した特徴点と製作した分類器を用いて分類を行った。誤認識した物体やクラスタを生成できないかった点群に対して、確率共鳴で用いられている正規乱数を発生させて分類を行った。その結果として、データから歩行者、二輪車、車両を認識することができた。
【符号の説明】
【００７６】
１〜６・・・クラスタ
１０・・・バイク
２０・・・ＬｉＤＡＲ
３０・・・ＰＣ
ｄ・・・距離
Ｏ・・・測定地点
【図１】
2019153188.tif 000021
【図２】
2019153188.tif 000022
【図３】
2019153188.tif 000023
【図４】
2019153188.tif 000024
【図５】
2019153188.tif 000025
【図６】
2019153188.tif 000026
【図７】
2019153188.tif 000027
【図８】
2019153188.tif 000028
【図９】
2019153188.tif 000029
【図１０】
2019153188.tif 000030
【図１１】
2019153188.tif 000031
【図１２】
2019153188.tif 000032
【図１３】
2019153188.tif 000033
【図１４】
2019153188.tif 000034
【図１５】
2019153188.tif 000035
【図１６】
2019153188.tif 000036
【図１７】
2019153188.tif 000037
【図１８】
2019153188.tif 000038
【図１９】
2019153188.tif 000039
【図２０】
2019153188.tif 000040